(57)【要約】      （修正有）【課題】二重構造の減光フィルターをデジタルカメラのレンズ鏡筒前面に装着して使用し、画像の色の濃さや明るさ（輝度）を変化させる減光フィルターを提供する。【解決手段】二重構造のフィルター枠５は、入射光側の前枠６及びレンズ鏡筒側の後枠７からなり、該二重枠構造のフィルター枠５はレンズ鏡筒前面に後枠７を螺着した後に前枠６を左右に３６０度回転可能で、該フィルター枠の前枠６と後枠７には光軸を中心に略二等分できる円形フィルターレンズ１ａ，１ｂ基板を二枚用意し、前記二重枠構造のフィルター枠５における前枠６、後枠７に装着する二枚の円形フィルターレンズ１ａ，１ｂ基板は光軸を中心に二等分できる円形フィルターレンズ基板であり、該夫々の円形フィルターレンズ基板の片側二等分面には任意に濃度を変えた着色、または金属蒸着被膜を施し、円形フィルターレンズ基板の片側半分は光の素通し部分とし、前枠を回転することにより、前枠と後枠の着色や蒸着被膜加工部分が重なり合う。【選択図】図２
0003189043.tif 000002
【実用新案登録請求の範囲】
【請求項１】
デジタルカメラのレンズ鏡筒前面に装着できる二重構造のフィルター枠は入射光側の前枠並びにレンズ鏡筒側の後枠からなり、
該二重枠構造のフィルター枠はレンズ鏡筒前面に後枠を螺着した後に前枠を左右に３６０度回転可能に構成され、
該フィルター枠の前枠と後枠には光軸を中心に寸法的に略二等分できる円形フィルターレンズ基板を夫々装着し、
該前枠と後枠に装着する二枚の円形フィルターレンズ基板は夫々光軸を中心に寸法的に二等分できる円形フィルターレンズ基板となし、
該夫々の円形フィルターレンズ基板の片側二等分面には任意に濃度を変えた着色による加工、または金属蒸着被膜を付着させる手法にて光の透過量を調整可能な蒸着被膜加工を施してグラデーション加工部分を構成し、
該グラデーション加工部分により二等分された円形フィルターレンズ基板の片側半分は着色や蒸着被膜を施さない光の素通し部分として構成し、
前記レンズ鏡筒前面に装着した二重枠構造の前枠を回転することにより、
前記前枠のフィルターレンズ基板のグラデーション加工部と後枠のグラデーション加工部分が重なり合い、或いは前記素通し部分がグラデーション加工部分と重なり合って画像に独特の減光部分を作り出すことができることを特徴とするデジタルカメラ用の二重枠減光フィルター。
【請求項２】
デジタルカメラのレンズ鏡筒前面に装着できる二重構造のフィルター枠は入射光側の前枠並びにレンズ鏡筒側の後枠からなり、
該二重枠構造のフィルター枠はレンズ鏡筒前面に後枠を螺着した後に前枠を左右に３６０度回転可能に構成され、
該フィルター枠の前枠と後枠には光軸を中心に寸法的に略二等分できる円形フィルターレンズ基板を夫々装着し、
該前枠と後枠に装着する二枚の円形フィルターレンズ基板は夫々光軸を中心に寸法的に二等分できる円形フィルターレンズ基板となし、
該フィルターレンズ基板片側面の二分の一の基板には光軸方向に向かって黒色から灰色、淡灰色へと連続的に濃度を変えた着色による加工、または金属蒸着被膜の厚さを徐々に薄く付着させる手法にて光の透過量を調整可能な蒸着被膜加工を施してグラデーション加工部分を構成し、
前記略二等分した円形フィルターレンズ基板の片側半分は着色や蒸着被覆を施さない光の素通し部分として構成し、
前記レンズ鏡筒前面に装着した二重枠構造の前枠を回転することにより、前枠のフィルターレンズ基板のグラデーション加工部分と後枠のグラデーション加工部分が重なり合い、或いは前記素通し部分がグラデーション加工部分と重なり合って画像に独特の減光部分を作り出すことができることを特徴とするデジタルカメラ用の二重枠減光フィルター。
【請求項３】
前記二重構造のフィルター枠に装着される円形フィルターレンズ基板は前枠と後枠に夫々装着されており、
該二枚の円形フィルターレンズ基板には夫々光軸を中心に略二等分されて片側二等分面をグラデーション加工部分を設け、
該略二等分した円形フィルターレンズ基板の片側半分は着色や蒸着被覆を施さない光の素通し部分を設け、
前記後枠の円形フィルターレンズ基板に対して前枠の円形フィルターレンズレンズ基板が１８０度回転した場合にフィルターレンズ全体が丁度グラデーション加工部分の面にて覆われるように構成し、
該前枠と後枠の境界が１８０度回転時にグラデーション加工部分の面で覆われるように二枚の円形フィルターレンズ基板は夫々光軸を中心に寸法的に二等分以上にオーバーした寸法にてグラデーション部分の重複用加工面を有して前枠と後枠のグラデーション加工部分が互いに重なり合うように構成したことを特徴とする請求項１及び請求項２のいずれかに記載のデジタルカメラ用の二重枠減光フィルター。
【考案の詳細な説明】
【技術分野】
【０００１】
本考案は、一眼レフデジタルカメラ用に開発された二重枠構成の減光フィルターに関するものである。
【０００２】
減光フィルターとはＮＤ（Ｎｅｕｔｒａｌ  Ｄｅｎｓｉｔｙ）フィルターとも云われ、あらゆる色彩に対して影響を与えず光の量だけを減少する光量フィルターである。従って、従来のフイルム式カメラにおいては、明るい場所や、高感度フイルムを使っているときも、絞りやシャッタースピードを思いの数値にセットして撮影のできるフィルターであり、ＮＤフィルターは、黒色の濃さと度合いにより、光減フィルターＮＤ２、光減フィルターＮＤ４、光減フィルターＮＤ８、そして、大光量を調整できる光減フィルターＮＤ４００などがあった。
【０００３】
また、一眼レフデジタルカメラが普及してきた最近でも、減光フィルターＮＤ２、減光フィルターＮＤ４、減光フィルターＮＤ８、そして、大光量を調整できる減光フィルターＮＤ４００はデジタルカメラ用としても使用されてきている。
【０００４】
斯くして、本考案は、一眼レフデジタルカメラにおいて使用して、画像に色の濃さや明るさ（輝度）を部分的、或いは全体的に変化させて表現可能な二重枠構成の減光フィルターを提供するものである。
【背景技術】
【０００５】
１眼レフデジタルカメラにおいて、光学信号である画像を電気信号に変換する撮像素子（光学センサ）は、ＣＣＤイメージセンサかＣＭＯＳイメージセンサが用いられており、該撮像素子で撮影した画像をデジタルデータとして記録するカメラであり、最近、特に撮像素子の進展は、微細な光信号までを高感度で正確にデジタルデータとして捉えられるようになってきた。
【０００６】
従って、本考案においては、二重枠構造の減光フィルターを１眼レフカメラのレンズ鏡筒前面に装着して使用し、画像の色の濃さや明るさ（輝度）を部分的に変化させて表現したり、画像全体の色の濃さや明るさ（輝度）を変化できる新しい減光フィルターを提供する試みがなされた。
【考案の概要】
【考案が解決しようとする課題】
【０００７】
本考案が解決しようとする課題は、一眼レフデジタルカメラにおいて、光学信号である画像を電気信号に変換する撮像素子（光学センサ）は、ＣＣＤイメージセンサかＣＭＯＳイメージセンサを搭載して高感度になり、微細な光信号までを正確にデジタルデータとしてとらえられるようになってきた点に注目してなされたものであり、二重構造の減光フィルターを一眼レフデジタルカメラのレンズ鏡筒前面に装着して使用し、画像の色の濃さや明るさ（輝度）を部分的、且つ、連続的に変化させて表現でき、また、画像全体の色の濃さや明るさ（輝度）を変化させて表現できる新しい減光フィルターを提供するものである。
【課題を解決するための手段】
【０００８】
本考案において、デジタルカメラのレンズ鏡筒前面に装着できる二重構造のフィルター枠は、入射光側の前枠並びにレンズ鏡筒側の後枠からなり、該二重枠構造のフィルター枠はレンズ鏡筒前面に後枠を螺着した後に前枠を左右に３６０度回転可能に構成され、該フィルター枠の前枠と後枠には光軸を中心に寸法的に略二等分できる円形フィルターレンズ基板を夫々装着し、該前枠と後枠に装着する二枚の円形フィルターレンズ基板は夫々光軸を中心に寸法的に二等分できる円形フィルターレンズ基板となし、該夫々の円形フィルターレンズ基板の片側二等分面には任意に濃度を変えた着色による加工、または金属蒸着被膜を付着させる手法にて光の透過量を調整可能な蒸着被膜加工を施してグラデーション加工部分を構成し、該グラデーション加工部分により二等分された円形フィルターレンズ基板の片側半分は着色や蒸着被膜を施さない光の素通し部分として構成し、前記レンズ鏡筒前面に装着した二重枠構造の前枠を回転することにより、前記前枠のフィルターレンズ基板のグラデーション加工部と後枠のグラデーション加工部分が重なり合い、或いは前記素通し部分がグラデーション加工部分と重なり合って画像に独特の減光部分を作り出すことができるデジタルカメラ用の二重枠減光フィルターを提供するものである。
【０００９】
また、本考案において、デジタルカメラのレンズ鏡筒前面に装着できる二重構造のフィルター枠は、入射光側の前枠並びにレンズ鏡筒側の後枠からなり、該二重枠構造のフィルター枠はレンズ鏡筒前面に後枠を螺着した後に前枠を左右に３６０度回転可能に構成され、該フィルター枠の前枠と後枠には光軸を中心に寸法的に略二等分できる円形フィルターレンズ基板を夫々装着し、該前枠と後枠に装着する二枚の円形フィルターレンズ基板は夫々光軸を中心に寸法的に二等分できる円形フィルターレンズ基板となし、該フィルターレンズ基板片側面の二分の一の基板には光軸方向に向かって黒色から灰色、淡灰色へと連続的に濃度を変えた着色による加工、または金属蒸着被膜の厚さを徐々に薄く付着させる手法にて光の透過量を調整可能な蒸着被膜加工を施してグラデーション加工部分を構成し、前記略二等分した円形フィルターレンズ基板の片側半分は着色や蒸着被覆を施さない光の素通し部分として構成し、前記レンズ鏡筒前面に装着した二重枠構造の前枠を回転することにより、前枠のグラデーションフィルターレンズ基板のグラデーション加工部分と後枠のグラデーション加工部分が重なり合い、或いは前記素通し部分がグラデーション加工部分と重なり合って画像に独特の減光部分を作り出すことができるデジタルカメラ用の二重枠減光フィルターを提供するものである。
【考案の効果】
【００１０】
斯して、本考案は、一眼レフデジタルカメラにおいて光学信号である画像を電気信号に変換する撮像素子（光学センサ）はＣＣＤイメージセンサかＣＭＯＳイメージセンサがより高感度になり、微細な光信号までを正確にデジタルデータとして捉えられるようになってきた点を最大限に利用したもので、二重構造の枠を持つフィルターを一眼レフデジタルカメラのレンズ鏡筒前面に装着して使用し、画像に色の濃さや明るさ（輝度）を部分的、且つ、連続的に変化させて表現でき、また、画像全体の色の濃さや明るさ（輝度）を変化させて表現できる新しい減光フィルターを提供するものである。
【図面の簡単な説明】
【００１１】
【図１】（Ａ）本考案の実施例１を示す減光フィルターレンズ基板の正面図である。       （Ｂ）本考案の実施例２を示す減光フィルターレンズ基板の正面図である。
【図２】（Ａ）本考案の二重構造フィルター枠を説明する部品図である。       （Ｂ）本考案の二重構造フィルター枠を説明する組み立て図である。       （Ｃ）本考案の二重構造フィルター枠を説明する要部断面図である。
【図３】本考案の実施例１を説明する動作図である。
【図４】本考案の実施例２を説明する動作図である。
【考案を実施するための形態】
【００１２】
本考案の目的は、一眼レフデジタルカメラにおいて、光学信号である画像を電気信号に変換する撮像素子（光学センサ）は、ＣＣＤイメージセンサかＣＭＯＳイメージセンサを搭載して高感度になり、微細な光信号までを正確にデジタルデータとしてとらえられるようになってきた点に注目してなされたものであり、二重構造の減光フィルターを一眼レフデジタルカメラのレンズ鏡筒前面に装着して使用し、画像の色の濃さや明るさ（輝度）を部分的、且つ、連続的に変化させて表現でき、また、画像全体の色の濃さや明るさ（輝度）を変化させて表現できる新しい減光フィルターを提供するものである。
【００１３】
斯くして、本考案において、デジタルカメラのレンズ鏡筒前面に装着できる二重構造のフィルター枠は、入射光側の前枠及びレンズ鏡筒側の後枠からなり、該二重枠構造のフィルター枠はレンズ鏡筒前面に後枠を螺着した後に前枠を左右に３６０度回転可能であり、該フィルター枠の前枠と後枠には光軸を中心に寸法的に略二等分できる円形フィルターレンズ基板を二枚用意し、前記二重枠構造のフィルター枠における前枠、後枠に装着する二枚の円形フィルターレンズ基板は光軸を中心に寸法的に二等分できる円形フィルターレンズ基板であり、該夫々の円形フィルターレンズ基板の片側二等分面には任意に濃度を変えた着色による加工、または金属蒸着被膜を付着させる手法にて光の透過量を調整可能な蒸着被膜加工を施し、前記二等分した円形フィルターレンズ基板の片側半分は光の素通し部分として着色や蒸着被膜を施さない構成となし、前記レンズ鏡筒前面に装着した二重枠構造の前枠を回転することにより、前記前枠のフィルターレンズ基板の着色や蒸着被膜加工部分と後枠の着色や蒸着被膜加工部分が重なり合い、また、前記素通し部分が着色や蒸着被膜加工部分と重なり合って画像に独特の減光部分を作り出すことができるデジタルカメラ用の二重枠減光フィルターを提供するものである。
【００１４】
また、本考案において、デジタルカメラのレンズ鏡筒前面に装着できる二重構造のフィルター枠は、入射光側の前枠並びにレンズ鏡筒側の後枠からなり、該二重枠構造のフィルター枠はレンズ鏡筒前面に後枠を螺着した後に前枠を左右に３６０度回転可能に構成され、該フィルター枠の前枠と後枠には光軸を中心に寸法的に略二等分できる円形フィルターレンズ基板を夫々装着し、該前枠と後枠に装着する二枚の円形フィルターレンズ基板は夫々光軸を中心に寸法的に二等分できる円形フィルターレンズ基板となし、該フィルターレンズ基板片側面の二分の一の基板には光軸方向に向かって黒色から灰色、淡灰色へと連続的に濃度を変えた着色による加工、または金属蒸着被膜の厚さを徐々に薄く付着させる手法にて光の透過量を調整可能な蒸着被膜加工を施してグラデーション加工部分を構成し、前記略二等分した円形フィルターレンズ基板の片側半分は着色や蒸着被覆を施さない光の素通し部分として構成し、前記レンズ鏡筒前面に装着した二重枠構造の前枠を回転することにより、前枠のグラデーションフィルターレンズ基板のグラデーション加工部分と後枠のグラデーション加工部分が重なり合い、或いは前記素通し部分がグラデーション加工部分と重なり合って画像に独特の減光部分を作り出すことができるデジタルカメラ用の二重枠減光フィルターを提供するものである。
【００１５】
更に、本考案において、前記二重構造のフィルター枠に装着される円形フィルターレンズ基板は前枠と後枠に夫々装着されており、該二枚の円形フィルターレンズ基板には夫々光軸を中心に略二等分されて片側二等分面をグラデーション加工部分を設け、該略二等分した円形フィルターレンズ基板の片側半分は着色や蒸着被覆を施さない光の素通し部分を設け、前記後枠の円形フィルターレンズ基板に対して前枠の円形フィルターレンズレンズ基板が１８０度回転した場合にフィルターレンズ全体が丁度グラデーション加工部分の面にて覆われるように構成し、該前枠と後枠の境界が１８０度回転時にグラデーション加工部分の面で覆われるように二枚の円形フィルターレンズ基板は夫々光軸を中心に寸法的に二等分以上にオーバーした寸法にてグラデーション部分の重複用加工面を有して前枠と後枠のグラデーション加工部分が互いに重なり合うようにした構成が好ましい。
【００１６】
本考案に使用されるグラデーション加工部分は、最近大手印刷会社が夫々開発しているインクジェット印刷を用いて行えば表面が凹凸形状のフィルターレンズ面でも印刷可能であり、該印刷は連続的にその濃度を変えた着色やカラー着色が可能であったり、帯状に着色濃度やカラーを変えての着色が容易に行うことができ、本考案が必要とするフィルターレンズ基板を得ることは充分に可能である。
【００１７】
また、本考案に使用するフィルターレンズ基板の片側面に光軸方向に向かって、金属蒸着被膜の厚さを制御して付着させる手法は、真空蒸着法、スパッタリング法などの蒸着被膜形成法を用いることにより行うことができる。
【００１８】
真空蒸着法は真空中で被覆したい材料を加熱蒸着させ、その蒸気をフィルターレンズ基板の表面に凝結させて金属皮膜とするもので、同様の手法として原子、分子、或いはイオンを被覆材料に衝突させる現象を起こさせ、該衝突によって放出されるフィルターレンズ基板の表面に付着させて金属皮膜を形成するスパッタリング法も利用できる。
【００１９】
そして、本考案のフィルターレンズ基板に蒸着される金属材料は、光学特性を有する酸化珪素、二酸化チタン、酸化亜鉛、フッ化マグネシュムなどの酸化物やフッ化物を使用することができ、該金属材料を蒸着する際に蒸着被膜の厚さを正確に制御したり、徐々に薄く付着するように加工することは、容易に行えることである。
【実施例１】
【００２０】
図１（Ａ）、図２（Ａ）、（Ｂ）、（Ｃ）、並びに図３は、本考案の実施例１を説明するものであり、図１（Ａ）は実施例１を示す減光フィルターレンズ基板の正面図、図２（Ａ）、（Ｂ）、（Ｃ）は実施例１のフィルターレンズ基板を組み込んだ二重枠構造のフィルター枠を示す構造説明図、図３は前記、図２におけるフィルター枠の夫々の動作を図３（ａ）、図３（ｂ）、図３（ｃ）にて説明するものである。
【００２１】
図１（Ａ）、図２（Ａ）、（Ｂ）、（Ｃ）、並びに図３において、１ａ、１ｂは二枚一組の円型フィルターレンズ基板であり、夫々グラデーション加工部分２ａ、２ｂと素通し部分３ａ、３ｂを有しており、前記グラデーション加工部分２ａ、２ｂの境界には夫々光軸Ｒを中心に寸法的に二等分以上にオーバーした寸法にてグラデーション部分の重複用加工面４が設けられている。
【００２２】
また、前記グラデーション加工部分２ａ、２ｂと重複用加工面４には、円形フィルターレンズ基板１ａ、１ｂの片面にインクジェット印刷等の手段を用いて着色を施したり、金属蒸着被膜の厚さを制御して金属蒸着被膜を形成したものである。
【００２３】
斯くして、図２（Ａ）、（Ｂ）において、５は二重枠構造のフィルター枠、６は前枠、７は後枠、１ａ、１ｂは円型フィルターレンズ、８はフィルターレンズ嵌合ワッシャー、９は回転ワッシャーであり、前記前枠６にはフィルターレンズの装着部１０、フィルターレンズ押さえ縁１１、他のアタッチメント装着用雌ネジ１２、後枠７との一体化用雄ネジ１３が設けられており、また、前記後枠７にはフィルターレンズの装着部１４、フィルターレンズ押さえ縁１５、前枠６との一体化用雌ネジ１６、デジタルカメラのレンズ鏡筒前面（図示せず）に二重枠構造のフィルター枠５を装着するための雄ネジ１７からなる。
【００２４】
図２（Ｂ）は、前枠６に円型フィルターレンズ基板１ａ、フィルターレンズ嵌合ワッシャー８、回転ワッシャー９を装着し、後枠７に円型フィルターレンズ基板１ｂを装着したところを示しており、該前枠６と後枠７は一体化用雄ネジ１３と一体化用雌ネジ１６を螺着することにより、図２（Ｃ）の如く二重枠構造のフィルター枠５となり、互いに３６０度の回転が可能となる。
【００２５】
而して、実施例１の構成は、デジタルカメラのレンズ鏡筒前面に装着できる二重構造のフィルター枠５は入射光側１８の前枠６、並びにレンズ鏡筒側１９の後枠７からなり、該二重枠構造のフィルター枠５はレンズ鏡筒前面に後枠７を螺着した後に前枠６を左右に３６０度回転可能に構成され、該二重枠構造のフィルター枠５の前枠６と後枠７には光軸Ｒを中心に寸法的に略二等分できる円形フィルターレンズ基板１ａ、１ｂを夫々装着し、該前枠６と後枠７に装着する二枚の円形フィルターレンズ基板１ａ、１ｂは夫々光軸を中心に寸法的に二等分できる円形フィルターレンズ基板１ａ、１ｂとなし、該夫々の円形フィルターレンズ基板１ａ、１ｂの片側二等分面には任意に濃度を変えた着色による加工、または金属蒸着被膜を付着させる手法にて光の透過量を調整可能な蒸着被膜加工を施してグラデーション加工部分２ａ、２ｂを構成し、該グラデーション加工部分２ａ、２ｂにより二等分された円形フィルターレンズ基板１ａ、１ｂの片側半分は着色や蒸着被膜を施さない光の素通し部分２ａ、２ｂとして構成し、前記レンズ鏡筒前面に装着した二重枠構造のフィルター枠５の内、前枠６を回転することにより、前記前枠のフィルターレンズ基板１ａのグラデーション加工部２ａと後枠のグラデーション加工部分２ｂが重なり合い、或いは前記素通し部分３ａ、３ｂがグラデーション加工部分２ａ、２ｂと重なり合って画像に独特の減光部分を作り出すことができるデジタルカメラ用の二重枠減光フィルターである。
【００２６】
図３（ａ）、（ｂ）、（ｃ）は上述した動作を夫々の動作にて説明するものであり、図３（ａ）は前枠６のグラデーション加工部分２ａと後枠７のグラデーション加工部分２ｂが重なりあっている状態を示しており、この場合には画像の下部半分において二枚の減光フィルターを重ねわせて用いた効果を有するグラデーション画像が得られる。
【００２７】
図３（ｂ）は、例えば後枠７をデジタルカメラの前面の鏡筒に装着する場合にグラデーション加工部分２ｂを水平に対して３０度程傾けてセットし、前枠６を逆方向に３０度ほど傾けるように回転することにより、回転角が６０度の扇形状の素通し部分３ａ、３ｂ以外は減光フィルター効果を有するグラデーション画像が得られる。
【００２８】
また、図３（ｃ）は、前枠６のグラデーション加工部分２ａと後枠７のグラデーション加工部分２ｂを夫々の境界部分で重ね合わせ前記重複用加工面４を利用することにより隙間ができることなく画像全体を減光フィルター化することができるものである。
【００２９】
従って、実施例１においては、デジタルカメラのレンズ鏡筒前面に装着できる二重構造のフィルター枠５は入射光側１８の前枠６、並びにレンズ鏡筒側１９の後枠７からなり、該二重枠構造のフィルター枠５はレンズ鏡筒前面に後枠７を螺着した後に前枠６を左右に３６０度回転可能に構成され、該フィルター枠の前枠６と後枠７には光軸Ｒを中心に寸法的に略二等分できる円形フィルターレンズ基板１ａ、１ｂを夫々装着し、該前枠６と後枠７に装着する二枚の円形フィルターレンズ基板１ａ、１ｂは夫々光軸を中心に寸法的に二等分できる円形フィルターレンズ基板１ａ、１ｂとなし、該夫々の円形フィルターレンズ基板１ａ、１ｂの片側二等分面には任意に濃度を変えた着色による加工、または金属蒸着被膜を付着させる手法にて光の透過量を調整可能な蒸着被膜加工を施してグラデーション加工部分２ａ、２ｂを構成し、該グラデーション加工部分２ａ、２ｂにより二等分された円形フィルターレンズ基板１ａ、１ｂの片側半分は着色や蒸着被膜を施さない光の素通し部分３ａ、３ｂとして構成し、前記レンズ鏡筒前面に装着した二重枠構造の前枠６を回転することにより、前記前枠６のフィルターレンズ基板１ａのグラデーション加工部２ａと後枠７のグラデーション加工部分２ｂが重なり合い、図３（ａ）の如く構成されたり、前記素通し部分３ａ、３ｂがグラデーション加工部分２ａ、２ｂと重なり合って図３（ｃ）の如く構成されるものであり、画像に独特の減光部分を作り出すことができるデジタルカメラ用の二重枠減光フィルターを提供するものである。
【実施例２】
【００３０】
図１（Ｂ）、図２（Ａ）、（Ｂ）、（Ｃ）、並びに図４は、本考案の実施例２を説明するものであり、図１（Ｂ）は実施例２を示す減光フィルターレンズ基板の正面図、図２（Ａ）、（Ｂ）、（Ｃ）は実施例１と同様であるが、フィルターレンズ基板を組み込んだ二重枠構造のフィルター枠を示す構造説明図、図４は前記、図２におけるフィルター枠の夫々の動作を図４（ａ）、図４（ｂ）図４（ｃ）にて説明するものである。
【００３１】
図１（Ｂ）、図２（Ａ）、（Ｂ）、（Ｃ）、並びに図４において、１ａ、１ｂは二枚一組の円型フィルターレンズ基板であり、夫々段階的または連続的に変化するグラデーション加工部分２０ａ、２０ｂ、２１ａ、２１ｂ，２２ａ、２２ｂと素通し部分３ａ、３ｂを有しており、前記グラデーション加工部分の境界には夫々光軸を中心に寸法的に二等分以上にオーバーした寸法にてグラデーション部分の重複用加工面４が設けられている。
【００３２】
また、前記グラデーション加工部分２０ａ、２０ｂ、２１ａ、２１ｂ，２２ａ、２２ｂと重複用加工面４には、円形フィルターレンズ基板１ａ、１ｂの片面にインクジェット印刷等の手段を用いて着色を施したり、金属蒸着被膜の厚さを制御して金属蒸着被膜を形成したものである。そして、特に実施例２においては、各着色の濃度や、金属蒸着被膜の厚さは、夫々の円型フィルターレンズ光軸を中心に寸法的に略二等分できる円形フィルターレンズ基板１ａ、１ｂを夫々装着し、該前枠６と後枠７に装着する二枚の円形フィルターレンズ基板１ａ、１ｂは夫々光軸Ｒを中心に寸法的に二等分できる円形フィルターレンズ基板１ａ、１ｂとなし、該フィルターレンズ基板１ａ、１ｂの片側面の二分の一の基板には光軸Ｒ方向に向かって黒色から灰色、淡灰色へと段階的或いは連続的に濃度を変えた着色による加工、または金属蒸着被膜の厚さを徐々に薄く付着させる手法にて光の透過量を調整可能な蒸着被膜加工を施してグラデーション加工部分２０ａ、２０ｂ、２１ａ、２１ｂ，２２ａ、２２ｂを構成している。
【００３３】
斯くして、図２（Ａ）、（Ｂ）において、５は二重枠構造のフィルター枠、６は前枠、７は後枠、１ａ、１ｂは円型フィルターレンズ、８はフィルターレンズ嵌合ワッシャー、９は回転ワッシャーであり、前記前枠６にはフィルターレンズの装着部１０、フィルターレンズ押さえ縁１１、他のアタッチメント装着用雌ネジ１２、後枠７との一体化用雄ネジ１３が設けられており、また、前記後枠７にはフィルターレンズの装着部１４、フィルターレンズ押さえ縁１５、前枠６との一体化用雌ネジ１６、デジタルカメラのレンズ鏡筒前面（図示せず）に二重枠構造のフィルター枠５を装着するための雄ネジ１７からなる。
【００３４】
図２（Ｂ）は、前枠６に円型フィルターレンズ基板１ａ、フィルターレンズ嵌合ワッシャー８、回転ワッシャー９を装着し、後枠７に円型フィルターレンズ基板１ｂを装着したところを示しており、該前枠６と後枠７は一体化用雄ネジ１３と一体化用雌ネジ１６を螺着することにより、図２（Ｃ）の如く二重枠構造のフィルター枠５となり、互いに３６０度の回転が可能となる。
【００３５】
斯くして、実施例２は、デジタルカメラのレンズ鏡筒前面に装着できる二重構造のフィルター枠５は入射光側１８の前枠６、並びにレンズ鏡筒側１９の後枠７からなり、該二重枠構造のフィルター枠５はレンズ鏡筒前面に後枠７を螺着した後に前枠６を左右に３６０度回転可能に構成され、該フィルター枠５の前枠６と後枠７には光軸Ｒを中心に寸法的に略二等分できる円形フィルターレンズ基板１ａ、１ｂを夫々装着し、該前枠６と後枠７に装着する二枚の円形フィルターレンズ基板１ａ、１ｂは夫々光軸Ｒを中心に寸法的に二等分できる円形フィルターレンズ基板１ａ、１ｂとなし、該フィルターレンズ基板１ａ、１ｂ片側面の二分の一の基板には光軸Ｒ方向に向かって黒色から灰色、淡灰色へと連続的に濃度を変えた着色による加工、または金属蒸着被膜の厚さを徐々に薄く付着させる手法にて光の透過量を調整可能な蒸着被膜加工を施してグラデーション加工部分２０ａ、２０ｂ、２１ａ、２１ｂ，２２ａ、２２ｂを構成し、前記略二等分した円形フィルターレンズ基板１ａ、１ｂの片側半分は着色や蒸着被覆を施さない光の素通し部分３ａ、３ｂとして構成し、前記レンズ鏡筒前面に装着した二重枠構造の前枠６を回転することにより、前枠６のフィルターレンズ基板１ａのグラデーション加工部分２０ａ、２１ａ、２２ａと後枠７のグラデーション加工部分２０ｂ、２１ｂ、２２ｂが重なり合い、図４（ａ）、（ｂ）の如く画像に独特の減光部分を作り出すことができたり、或いは前記素通し部分３ａ、３ｂが夫々のグラデーション加工部分２０ａ、２０ｂ、２１ａ、２１ｂ，２２ａ、２２ｂと重なり合って図４（ｃ）の如く全体がグラデーション加工部分２０ａ、２０ｂ、２１ａ、２１ｂ，２２ａ、２２ｂに覆われた形の独特の減光フィルターを作り出すことができるものである。
【符号の説明】
【００３６】
１ａ、１ｂ  円型フィルターレンズ
２ａ、２ｂ  グラデーション加工部分
３ａ、３ｂ  素通し部分
４  重複用加工面
５  ２重枠構造のフィルター枠
６  前枠
７  後枠
８  フィルター枠嵌合ワッシャー
９  回転ワッシャー
１０  フィルターレンズ装着部
１１  フィルターレンズ押さえ縁
１２  アタッチメント装着用雌ネジ
１３  後枠との一体化用雄ネジ
１４  フィルターレンズの装着部
１５  フィルターレンズ押さえ縁
１６  一体化用雌ネジ
１７  雄ネジ
１８  入射側
１９  レンズ鏡筒側
２０ａ、２０ｂ  グラデーション加工部
２１ａ、２１ｂ  グラデーション加工部
２２ａ、２２ｂ  グラデーション加工部
【図１】
0003189043.tif 000003
【図２】
0003189043.tif 000004
【図３】
0003189043.tif 000005
【図４】
0003189043.tif 000006